(57)【要約】【課題】異常が発生した場合に、的確かつ迅速に対処することを可能とする。【解決手段】配管等の流路を流れる流体の流量を検出するセンサ部１１、センサ部１１により検出された流量に基づいて、アラームの対象となる異常の有無を判定する判定部１２、および判定部１２により異常が有ると判定された場合に、異常に対処する方法に関する対処情報の格納場所を示すＵＲＬを含むバーコードを出力する出力部１３を有する流量計１と、対処情報を格納するサーバ３と、出力部１３により出力されるバーコードを取得するコード取得部２１、およびコード取得部２１により取得されたバーコードに含まれるＵＲＬに基づいて、サーバ３に格納されている対処情報をディスプレイに表示させる表示制御部２２を有する携帯端末２と、を備える。【選択図】図１
2016206148.tif 000002
【特許請求の範囲】
【請求項１】
対象となる物理量を検出するセンサ部と、
前記センサ部により検出された前記物理量に基づいて、アラームの対象となる異常の有無を判定する判定部と、
前記判定部により前記異常が有ると判定された場合に、少なくとも、前記異常に対処する方法に関する対処情報の格納場所を示すアドレス情報を含む第１コード、または前記異常に対処する方法を特定するために必要となる情報を含む第２コードのいずれか一方を出力する出力部と、
を備えることを特徴とする物理量計測装置。
【請求項２】
前記出力部は、前記第１コードおよび／または前記第２コードをディスプレイに表示させることを特徴とする請求項１記載の物理量計測装置。
【請求項３】
前記出力部は、前記第１コードおよび／または前記第２コードを無線通信により送信することを特徴とする請求項１記載の物理量計測装置。
【請求項４】
対象となる物理量を検出するセンサ部、前記センサ部により検出された前記物理量に基づいて、アラームの対象となる異常の有無を判定する判定部、および前記判定部により前記異常が有ると判定された場合に、前記異常に対処する方法に関する対処情報の格納場所を示すアドレス情報を含む第１コードを出力する出力部を有する物理量計測装置と、
前記対処情報を格納するサーバと、
前記出力部により出力される前記第１コードを取得するコード取得部、および前記コード取得部により取得された前記第１コードに含まれる前記アドレス情報に基づいて、前記対処情報をディスプレイに表示させる表示制御部を有する前記携帯端末と、
を備えることを特徴とする対処情報提供システム。
【請求項５】
前記出力部は、前記第１コードをディスプレイに表示させることを特徴とする請求項４記載の対処情報提供システム。
【請求項６】
前記出力部は、前記第１コードを無線通信により送信することを特徴とする請求項４記載の対処情報提供システム。
【発明の詳細な説明】
【技術分野】
【０００１】
本発明は、物理量計測装置および対処情報提供システムに関する。
【背景技術】
【０００２】
下記の特許文献１には、配管等の流路を流れる流体の流速や流量等を測定する流量計測装置が開示されている。この流量計測装置では、アラームの対象となる異常が発生した場合に、発生した異常を特定するためのアラームコードをディスプレイに表示している。
【先行技術文献】
【特許文献】
【０００３】
【特許文献１】特開２００９−１１５８０６号公報
【発明の概要】
【発明が解決しようとする課題】
【０００４】
上記特許文献１では、アラームコードを表示することで、異常が発生したことを報知しているが、このアラームコードは、アラームの内容を特定するために、メーカ側で任意に設定する識別コードである。したがって、ユーザは、アラームコードを見ただけでは、異常の状況や対処方法などを把握できない。アラームコードを見たユーザは、例えば、取扱説明書を参照することや、メーカのヘルプデスクに問い合わせを行うことで、異常の状況や対処方法などを把握し、問題を解決することとなる。しかしながら、このように問題を解決していたのでは、迅速に対応することができないため、例えば緊急時等に対応が遅れる要因となる。
【０００５】
本発明は、異常が発生した場合に、的確かつ迅速に対処することが可能となる物理量計測装置および対処情報提供システムを提供することを目的とする。
【課題を解決するための手段】
【０００６】
本発明に係る物理量計測装置は、対象となる物理量を検出するセンサ部と、前記センサ部により検出された前記物理量に基づいて、アラームの対象となる異常の有無を判定する判定部と、前記判定部により前記異常が有ると判定された場合に、少なくとも、前記異常に対処する方法に関する対処情報の格納場所を示すアドレス情報を含む第１コード、または前記異常に対処する方法を特定するために必要となる情報を含む第２コードのいずれか一方を出力する出力部と、を備えることを特徴とする。
【０００７】
上記出力部は、前記第１コードおよび／または前記第２コードをディスプレイに表示させることとしてもよいし、無線通信により送信することとしてもよい。
【０００８】
また、本発明に係る対処情報提供システムは、対象となる物理量を検出するセンサ部、前記センサ部により検出された前記物理量に基づいて、アラームの対象となる異常の有無を判定する判定部、および前記判定部により前記異常が有ると判定された場合に、前記異常に対処する方法に関する対処情報の格納場所を示すアドレス情報を含む第１コードを出力する出力部を有する物理量計測装置と、前記対処情報を格納するサーバと、前記出力部により出力される前記第１コードを取得するコード取得部、および前記コード取得部により取得された前記第１コードに含まれる前記アドレス情報に基づいて、前記対処情報をディスプレイに表示させる表示制御部を有する前記携帯端末と、を備えることを特徴とする。
【０００９】
上記出力部は、前記第１コードをディスプレイに表示させることとしてもよいし、無線通信により送信することとしてもよい。
【発明の効果】
【００１０】
本発明によれば、異常が発生した場合に、的確かつ迅速に対処することが可能となる物理量計測装置および対処情報提供システムを提供することができる。
【図面の簡単な説明】
【００１１】
【図１】実施形態における流量計を含む対処情報提供システムの概略構成図である。
【発明を実施するための形態】
【００１２】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１３】
まず、図１を参照して、実施形態における流量計を含む対処情報提供システムの構成について説明する。図１に示すように、対処情報提供システムは、流量計１と、携帯端末２と、サーバ３とを備える。
【００１４】
流量計１は、配管等の流路を流れる流体の流速や流量等を検出するセンサ装置であり、本発明に係る物理量計測装置に該当するものである。なお、本実施形態では、本発明に係る物理量計測装置の実施例として流量計を用いて説明するが、物理量計測装置を流量計に限定するものではない。例えば、圧力を検出する圧力計や、温度を検出する温度計等の各種センサ装置を、本発明に係る物理量計測装置に適用することができる。
【００１５】
流量計１は、物理構成として、例えば、演算処理手段としてのＣＰＵ、記憶手段としてのＲＯＭやＲＡＭ等のメモリ、通信手段としての通信インターフェース、表示手段としてのディスプレイ等を備える。
【００１６】
流量計１は、機能構成として、例えば、センサ部１１と、判定部１２と、出力部１３と、を有する。
【００１７】
センサ部１１は、例えば配管等の流路を流れるガスや液体等の流体の流量を検出する。
【００１８】
判定部１２は、センサ部１１により検出された流量に基づいて、アラームの対象となる異常の有無を判定（診断）する。アラームの対象となる異常としては、例えば、センサの特性が劣化したことを示す現象、流体の流量が上限値を上回ったことを示す現象、流体の流量が下限値を下回ったことを示す現象等が該当する。
【００１９】
センサ部１１のメモリは、アラームの対象となる異常ごとに、サーバ３のＵＲＬ（Uniform Resource Locator）を対応付けて記憶する。このＵＲＬは、異常に対処する方法に関する対処情報の格納場所を特定するためのアドレス情報である。
【００２０】
出力部１３は、判定部１２により異常が有ると判定された場合に、バーコードをディスプレイに表示させる。このバーコードには、サーバ３のＵＲＬが格納される。つまり、出力部１３は、判定部１２により異常が有ると判定された場合に、その異常に対処するための対処情報の格納場所を示すＵＲＬを格納したバーコード（第１コード）をディスプレイに表示させる。
【００２１】
なお、バーコードは、一次元バーコードであってもよいし、二次元バーコードであってもよい。また、サーバ３のＵＲＬをコード化したものであれば、バーコード以外のコードであってもよい。
【００２２】
また、出力部１３は、バーコードをディスプレイに表示させることには限定されず、無線通信を利用してバーコード情報を出力することとしてもよい。また、音声により、コード情報またはＵＲＬの内容を出力することとしてもよい。
【００２３】
携帯端末２は、ユーザが携帯可能な端末であり、例えば、スマートフォン、携帯電話機、タブレット型端末、ノート型端末等が該当する。
【００２４】
携帯端末２は、機能構成として、例えば、コード取得部２１と、表示制御部２２と、を有する。
【００２５】
コード取得部２１は、流量計１のディスプレイに表示されるバーコードを取得する。例示的に、バーコードリーダ機能によりバーコードを取得することができる。なお、バーコード情報が無線通信を利用して流量計１から出力される場合には、コード取得部２１は、無線通信機能によりバーコード情報を受信することでバーコードを取得することとすればよい。
【００２６】
表示制御部２２は、コード取得部２１により取得されたバーコードに格納されているＵＲＬに基づいて、サーバ３にアクセスし、そのアクセス先に格納されている対処情報をディスプレイに表示させる。
【００２７】
サーバ３は、携帯端末２に提供する対処情報を格納する。対処情報は、上述したように、アラームの対象となる異常ごとに区別して、データベース等の記憶装置に格納されており、その格納場所を示すＵＲＬがセンサ部１１のメモリに登録されることとなる。
【００２８】
上述したように、本実施形態における流量計１を含む対処情報提供システムによれば、流量計１が、判定部１２を有することで、センサ部１１により検出された流体の流量に基づいて、アラームの対象となる異常の有無を判定することができ、出力部１３を有することで、判定部１２により異常が有ると判定された場合に、上記異常に対処する方法に関する対処情報の格納場所を示すＵＲＬを含むバーコードをディスプレイに表示させることができ、さらに、携帯端末２が、コード取得部２１を有することで、流量計１に表示されたバーコードを取得することができ、表示制御部２２を有することで、コード取得部２１により取得されたバーコードに含まれるＵＲＬに基づいて、対処情報をディスプレイに表示させることができる。
【００２９】
それゆえ、本実施形態における流量計１を含む対処情報提供システムによれば、異常が発生した場合に、的確かつ迅速に対処することが可能となる。
【００３０】
[変形例]
なお、上述した実施形態では、流量計１の出力部１３が、対処情報の格納場所を示すＵＲＬを含むバーコードをディスプレイに表示させているが、出力部１３が出力する情報は、対処情報の格納場所を示すＵＲＬを含むコードには限定されない。例えば、異常に対処する方法を特定するために必要となる情報を含むコード（第２コード）を、出力することとしてもよい。この場合、本変形例におけるコードと、実施形態におけるバーコードとの両方を出力可能としてもよいし、いずれか一方を出力できるようにしてもよい。
【００３１】
異常に対処する方法を特定するために必要となる情報としては、例えば、判定部１２により判定される異常がセンサ故障である場合には、例示的に、センサ信号、流量値、温度情報（ヒータ電圧）、各種の設定値等が該当する。また、判定部１２により判定される異常が停止時の脈動である場合には、例示的に、センサ信号の平均値、センサ信号のピークピーク値等が該当する。これらの各情報は、アラームの対象となる異常（例えばセンサ故障または停止時の脈動等）に対する対処方法を特定する際に、必要となる情報である。言い換えると、これらの各情報があれば、異常に対する対処方法を特定することが可能となる。
【００３２】
本変形例において、出力部１３が出力するコードは、上記各情報をコード化したものであればよく、一次元バーコードであってもよいし、二次元バーコードであってもよいし、バーコード以外のコードであってもよい。
【００３３】
携帯端末２のコード取得部２１は、流量計１のディスプレイに表示されるコードを取得する。この場合、カメラ機能を利用して、ディスプレイに表示されているコードを撮影することでコードを取得する。
【００３４】
携帯端末２は、コード取得部２１により取得されたコードの画像を、例えば電子メールに添付する等してヘルプデスク宛てに送信し、ヘルプデスクから返信される電子メールに添付される対処情報をディスプレイに表示させる。この場合、ヘルプデスクでは、電子メールに添付されたバーコードを解読して得られた各情報に基づいて異常に対する対処方法を特定し、その特定した対処方法に対応する対処情報を電子メールに添付する等して携帯端末２に送信することとすればよい。
【００３５】
なお、流量計１のディスプレイに表示されるコードがバーコードである場合には、コード取得部２１は、バーコードリーダ機能を利用してバーコードを取得することとしてもよい。この場合、取得したバーコードを電子メールに添付してヘルプデスク宛てに送信してもよいし、取得したバーコードを解読して得られる各情報を電子メールに添付してヘルプデスク宛てに送信してもよい。
【００３６】
上述したように、本変形例における流量計１を含む対処情報提供システムによれば、流量計１が、判定部１２を有することで、センサ部１１により検出された流体の流量に基づいて、アラームの対象となる異常の有無を判定することができ、出力部１３を有することで、判定部１２により異常が有ると判定された場合に、上記異常に対処する方法を特定するために必要となる情報を含むコードをディスプレイに表示させることができるとともに、携帯端末２が、コード取得部２１を有することで、流量計１に表示されたコードを取得することができ、表示制御部２２を有することで、コード取得部２１により取得されたコードに基づいて、対処情報をディスプレイに表示させることができる。
【００３７】
それゆえ、本変形例における流量計１を含む対処情報提供システムによれば、異常が発生した場合に、的確かつ迅速に対処することが可能となる。
【符号の説明】
【００３８】
１…流量計
２…携帯端末
３…サーバ
１１…センサ部
１２…判定部
１３…出力部
２１…コード取得部
２２…表示制御部
【図１】
2016206148.tif 000003